(57)【要約】【課題】多数の電線を強い結束力で結束しつつ、繰り返し屈曲させても結束手段に損傷が生じる事のない電子機器配線用ハーネスを提供する。【解決手段】熱収縮チューブ（結束手段）１３は、中空な略円筒形を成し、外周面１３ａから内周面１３ｂまで貫通する多数のスリット１４が形成されている。こうしたスリット１４は、例えば円筒形の熱収縮チューブ１３の円周方向に沿って、所定の長さに形成されている。【選択図】図１
2009272126.tif 000002
【特許請求の範囲】
【請求項１】
多数本の電線が両端部でそれぞれ並列に並べられ、前記両端部で前記多数本の電線とそれぞれ接続される複数のコネクタと、該コネクタどうしの間で前記多数本の電線を束ねる結束手段を有する電子機器配線用ハーネスであって、
前記結束手段は略円筒状の熱収縮チューブからなり、該熱収縮チューブの周面には、スリットが形成されていることを特徴とする電子機器配線用ハーネス。
【請求項２】
前記熱収縮チューブは、その長さ方向において該熱収縮チューブを複数に分割した小チューブ体を一連に並べたものからなり、前記スリットは、複数の前記小チューブ体どうしの隙間をなすことを特徴とする電子機器配線用ハーネス。
【請求項３】
前記電線は、少なくとも１本が極細同軸ケーブルであることを特徴とする請求項１または２に記載の電子機器配線用ハーネス。
【請求項４】
回路を有する複数の筐体が相対移動可能に取り付けられ、これらの筐体の回路どうしを電気的に接続する配線手段を備えた電子機器であって、
前記配線手段は、多数本の電線が両端部でそれぞれ並列に並べられ、前記両端部で前記多数本の電線とそれぞれ接続される複数のコネクタと、該コネクタどうしの間で前記多数本の電線を束ねる略円筒状の熱収縮チューブからなり、該熱収縮チューブの周面には、スリットが形成された電子機器配線用ハーネスであることを特徴とする電子機器。
【発明の詳細な説明】
【技術分野】
【０００１】
本発明は、携帯電話、携帯用パーソナルコンピュータなどの電子機器を構成する回路どうしの配線に用いる電子機器配線用ハーネス、およびこれを用いた電子機器に関する。
【背景技術】
【０００２】
近年、携帯電話に代表される電子機器の小型・軽量化、多機能化が急速に進展している。これに伴い、数多くのＩＣチップが搭載され、伝送容量が大きくなり、伝送スピードが高速化している。伝送容量の増大や、伝送スピードの高速化に対応して、伝送周波数が高周波数帯域にシフトしつつあり、電子機器で生じる電気信号ノイズも増大するため、電気信号の伝送媒体には電磁波のシルード（遮蔽）特性に優れたものが要求されている。
【０００３】
従来、こうした小型の電子機器の内部配線材にフレキシブルプリント配線板（ＦＰＣ）が用いられてきたが、上述したように、伝送媒体の電磁波シルード特性を向上させるために、ＦＰＣよりも伝送特性や耐ノイズ特性が優れているとされる極細同軸ケーブルを用いたアセンブリが導入されつつある。
【０００４】
このような極細同軸ケーブルを用いて、例えば、複数の筐体どうしが移動可能に係合された携帯電話（電子機器）の筐体間配線を行う場合、並列させた多数の極細同軸ケーブルの両端にそれぞれコネクタを形成し、このコネクタ間で多数の極細同軸ケーブルを束ねた電子機器配線用ハーネスが用いられている（例えば、特許文献１、２参照）。
【特許文献１】特開２００５−５３５３０号公報
【特許文献２】特開２００７−１４３８４８号公報
【発明の開示】
【発明が解決しようとする課題】
【０００５】
しかしながら、多数の極細同軸ケーブルを束ねる結束手段として、所定の直径をもつ筒状のチューブを用いた場合、複数の筐体どうしを繰り返し移動させたときに、チューブが繰り返し屈曲されて破断する虞があった。
【０００６】
また、特許文献１に記載された帯状の樹脂板を螺旋状に巻いた結束チューブや、特許文献２に記載されたシート材を筒状に丸めた可撓管では、形成時にその直径（内径）が決まっているため、任意の本数の極細同軸ケーブルを強い結束力で束ねることが難しく、複数の筐体どうしを繰り返し移動させた際に、束ねた極細同軸ケーブルどうしが擦れ合ったり、一部の極細同軸ケーブルだけが、こうした結束チューブや可撓管からはみ出てしまうといった懸念があった。
【０００７】
一方、この特許文献１、２に記載された結束チューブや可撓管の内径を、束ねた極細同軸ケーブルの断面径に合致するように形成し、結束力を強く保とうとすると、結束チューブや可撓管に極細同軸ケーブルを通すこと自体が困難になるという問題があった。
【０００８】
本発明は、上記事情に鑑みてなされたもので、多数の電線を強い結束力で結束しつつ、繰り返し屈曲させても結束手段に損傷が生じる事のない電子機器配線用ハーネスを提供することを目的とする。
【０００９】
また、本発明は、複数の筐体どうしを繰り返し移動させても、内部の配線が導通不良を引き起こす懸念のない電子機器を提供することを目的とする。
【課題を解決するための手段】
【００１０】
本発明の請求項１に記載の電子機器配線用ハーネスは、多数本の電線が両端部でそれぞれ並列に並べられ、前記両端部で前記多数本の電線とそれぞれ接続される複数のコネクタと、該コネクタどうしの間で前記多数本の電線を束ねる結束手段を有する電子機器配線用ハーネスであって、前記結束手段は略円筒状の熱収縮チューブからなり、該熱収縮チューブの周面には、スリットが形成されていることを特徴とする。
本発明の請求項２に記載の電子機器配線用ハーネスは、請求項１において、前記熱収縮チューブは、その長さ方向において該熱収縮チューブを複数に分割した小チューブ体を一連に並べたものからなり、前記スリットは、複数の前記小チューブ体どうしの隙間をなすことを特徴とする。
本発明の請求項３に記載の電子機器配線用ハーネスは、請求項１または２において、前記電線は、少なくとも１本が極細同軸ケーブルであることを特徴とする。
本発明の請求項４に記載の電子機器は、回路を有する複数の筐体が相対移動可能に取り付けられ、これらの筐体の回路どうしを電気的に接続する配線手段を備えた電子機器であって、前記配線手段は、多数本の電線が両端部でそれぞれ並列に並べられ、前記両端部で前記多数本の電線とそれぞれ接続される複数のコネクタと、該コネクタどうしの間で前記多数本の電線を束ねる略円筒状の熱収縮チューブからなり、該熱収縮チューブの周面には、スリットが形成された電子機器配線用ハーネスであることを特徴とする。
【発明の効果】
【００１１】
本発明の電子機器配線用ハーネスによれば、電線を結束する結束手段である熱収縮チューブは、収縮温度以上に加熱することによって、その内径が減少する。これにより、多数の電線を熱収縮チューブに通した後、熱収縮チューブを加熱すれば、束ねた多数の電線の断面径とほぼ同じ直径になるように、熱収縮チューブの内径を狭める事ができる。従って、多数の電線を熱収縮チューブ内で揺動することなく強い結束力で結束することができる。    
【００１２】
しかも、こうした熱収縮チューブは、加熱収縮させる前は、束ねた多数の電線の断面径よりも十分に大きな内径を保つことができるので、電線を熱収縮チューブの内部に通す工程、即ち熱収縮チューブの加熱前では、電線に無理な力を加えずとも、多数の電線を熱収縮チューブの内部に極めて容易に通すことができる。
【００１３】
一方、熱収縮チューブにスリットを形成することによって、多数の電線を結束した熱収縮チューブを、小さな応力で容易に屈曲させることができる。しかも、熱収縮チューブを繰り返し屈曲させても、スリットによって応力が分散され、特定の箇所に応力が集中することがないので、熱収縮チューブやこの熱収縮チューブによって結束された電線が損傷したり破断することを確実に防止できる。
【００１４】
また、本発明の電子機器によれば、配線手段として用いる熱収縮チューブにスリットを形成することによって、多数の電線を結束した熱収縮チューブを、小さな応力で容易に屈曲させることができる。しかも、熱収縮チューブを繰り返し屈曲させても、スリットによって応力が分散され、特定の箇所に応力が集中することがないので、熱収縮チューブやこの熱収縮チューブによって結束された極細同軸ケーブルが損傷したり破断することを確実に防止でき、長期間に渡って複数の筐体間の導通状態を良好に維持することが可能になる。
【発明を実施するための最良の形態】
【００１５】
以下、本発明に係る電子機器配線用ハーネスの一実施形態を図面に基づいて説明する。なお、本発明はこのような実施形態に限定されるものではない。また、以下の説明で用いる図面は、本発明の特徴をわかりやすくするために、便宜上、要部となる部分を拡大して示している場合があり、各構成要素の寸法比率などが実際と同じであるとは限らない。
【００１６】
図１（ａ）は、本発明の電子機器配線用ハーネスの一例を示す外観斜視図である。また、図１（ｂ）は、図１（ａ）における断面Ｆでの断面図である。図１（ｃ）は、特定の電線の断面を示す断面図である。本発明の電子機器配線用ハーネス１０は、多数の電線、例えば多数の極細同軸ケーブル（電線）１１，１１…と、コネクタ１２とを有する。多数の極細同軸ケーブル（電線）１１，１１…は、両端部分１１ａ，１１ｂが一線上に並列して配され、この両端部分１１ａ，１１ｂにそれぞれコネクタ１２，１２が接続される。
【００１７】
コネクタ１２，１２は、例えば、２つの筐体を移動可能に係合させた携帯電話（電子機器）において、一方の筐体の回路、および他方の筐体の回路にそれぞれ係合され、これら２つの回路間を多数の極細同軸ケーブル（電線）１１，１１…で電気的に接続する。
【００１８】
多数の極細同軸ケーブル（電線）１１，１１は、２つのコネクタ１２，１２の間で結束手段、即ち熱収縮チューブ（結束手段）１３によって、例えば、長さ方向Ｌに直角な断面Ｆが略円形を成すように束ねられる（結束される）。
【００１９】
熱収縮チューブ（結束手段）１３は、中空な略円筒形を成し、外周面１３ａから内周面１３ｂまで貫通する多数のスリット１４が形成されている。こうしたスリット１４は、例えば本実施形態では、円筒形の熱収縮チューブ１３の円周方向に沿って、所定の長さに形成されている。また、隣接するスリット１４，１４どうしでは、円周方向でその形成位置を互いにずらして（千鳥状配列）いる。
【００２０】
熱収縮チューブ（結束手段）１３の内部、即ち、内周面１３ｂで囲まれた収容空間Ｅには、多数の極細同軸ケーブル（電線）１１，１１…が結束されて収容される（図１（ｂ）参照）。この極細同軸ケーブル１１は、例えば、断面円筒形に配列された多数の導電線１１ｆ，１１ｆ…と、この導電線１１ｆ，１１ｆ…を被覆する絶縁体１１ｓとからなる、例えば、直径が０．１４〜０．４０ｍｍの極めて細い同軸ケーブルであればよい（図１（ｃ）参照）。こうした１本１本の電線を極細同軸ケーブル１１とすることで、電子機器配線用ハーネス１０の電磁波シルード特性を向上させることができる。
【００２１】
熱収縮チューブ（結束手段）１３は、全体が熱収縮樹脂によって形成されている。こうした熱収縮樹脂は、収縮温度、例えば、６０〜１５０℃以上の熱を加えると、樹脂の密度が変化してその体積が減少し、収縮するものである。熱収縮チューブ１３を形成する熱収縮樹脂としては、例えば、ポリオレフィン、ＰＶＣ、エラストマー、フロロポリマーなどが好ましく挙げられる。
【００２２】
こうした熱収縮樹脂によって形成した熱収縮チューブ１３は、収縮温度以上に加熱することによって、その内径Ｒが減少する。これにより、多数の極細同軸ケーブル（電線）１１，１１…を熱収縮チューブ１３に通した後、熱収縮チューブ１３を加熱すれば、束ねた多数の極細同軸ケーブル１１，１１…の断面径とほぼ同じ直径になるように、熱収縮チューブ１３の内径を狭める事ができる。従って、多数の極細同軸ケーブル１１，１１…が熱収縮チューブ１３内で揺動することなく強い結束力で熱収縮チューブ１３によって結束される。
【００２３】
しかも、こうした熱収縮チューブ１３は、加熱収縮させる前は、束ねた多数の極細同軸ケーブル１１，１１…の断面径よりも十分に大きな内径を保つことができるので、極細同軸ケーブル１１を熱収縮チューブ１３の内部に通す工程、即ち熱収縮チューブ１３の加熱前では、極細同軸ケーブル１１に無理な力を加えずとも、多数の極細同軸ケーブル１１，１１…を熱収縮チューブ１３の内部に極めて容易に通すことができる。
【００２４】
一方、熱収縮チューブ１３にスリット１４を形成することによって、多数の極細同軸ケーブル１１，１１…を結束した熱収縮チューブ１３を、小さな応力で容易に屈曲させることができる。しかも、熱収縮チューブ１３を繰り返し屈曲させても、スリット１４によって応力が分散され、特定の箇所に応力が集中することがないので、熱収縮チューブ１３やこの熱収縮チューブ１３によって結束された極細同軸ケーブル１１が損傷したり破断することを確実に防止できる。
【００２５】
このような電子機器配線用ハーネス１０を、例えば、２つの筐体を移動可能に係合させた携帯電話（電子機器）の筐体間の配線に用いれば、２つの筐体を繰り返し移動操作させても、筐体間の回路が導通不良を引き起こすといった懸念を解消し、極めて長期間に渡って、良好な導通状態を保つことができ、電子機器の信頼性向上に寄与する。
【００２６】
なお、上述した実施形態では、スリット１４は熱収縮チューブ１３の円周方向に沿う方向に形成しているか、スリットの形状はこれに限定されるものではない。例えば、熱収縮チューブ１３の円周方向から所定の角度だけ傾斜した方向に延びるスリットや、互いに異なる方向に延びる複数のスリットを混在させたものであってもよい。
【００２７】
図２は、本発明の電子機器配線用ハーネスの別な一例を示す外観斜視図である。この実施形態の電子機器配線用ハーネス２０は、多数の電線、例えば多数の極細同軸ケーブル（電線）２１，２１…と、コネクタ２２とを有する。多数の極細同軸ケーブル（電線）２１，２１…は、２つのコネクタ２２，２２の間で結束手段、即ち熱収縮チューブ（結束手段）２３によって束ねられる（結束される）。
【００２８】
熱収縮チューブ（結束手段）２３は、中空な略円筒形を成し、その長さ方向Ｌにおいて熱収縮チューブ２３を複数に分割した小チューブ体２３ａ，２３ａ…を一連に並べたものからなる。そして、互いに隣接する小チューブ体２３ａ，２３ａどうしの間にスリット２４が形成されている。このスリット２４は、互いに隣接する小チューブ体２３ａ，２３ａどうしの隙間を成すものである。
【００２９】
このような構成の電子機器配線用ハーネス２０においても、複数の小チューブ体２３ａ，２３ａ…を一連に並べて熱収縮チューブ２３を構成する事により、多数の極細同軸ケーブル２１，２１…を結束した熱収縮チューブ２３を、小さな応力で容易に屈曲させることができる。しかも、熱収縮チューブ２３を繰り返し屈曲させても、隣接する小チューブ体２３ａ，２３ａどうしの間のスリット（隙間）２４によって応力が分散され、特定の箇所に応力が集中することがないので、熱収縮チューブ２３やこの熱収縮チューブ２３によって結束された極細同軸ケーブル２１が損傷したり破断することを確実に防止できる。
【００３０】
以下、本発明の電子機器の一例として、携帯電話を例示する。図３は、上述したような電子機器配線用ハーネスを配線に用いた電子機器（携帯電話）を示す外観斜視図である。図３（ａ）は、スライドタイプの携帯電話の携帯時（待受時）の状態を示し、図３（ｂ）は、通話時（操作時）の状態を示す。
携帯電話（電子機器）３０は、第一の筐体３１と、第二の筐体３２とをからなる。この第一の筐体３１と、第二の筐体３２とは、互いに重ねて配され、第二の筐体３２は、第一の筐体３１の移動面３１ａに沿って所定の範囲でスライド（摺動）可能に、第一の筐体３１と係合されている。
【００３１】
第一の筐体３１には、例えば、操作ボタン３３が配されている。また、第二の筐体３２には、例えば、液晶ディスプレイ（ＬＣＤ）３４が配されている。こうした携帯電話３０は、携帯時（待受時）には、その外形を小さくして携帯性を高めるために、第一の筐体３１と第二の筐体３２の外形が合致する位置にスライドされ、操作ボタン３３が隠蔽される（図３（ａ）参照）。また、通話時（操作時）には、操作ボタン３３が露呈される位置まで第二の筐体３２を第一の筐体３１に対してスライドさせる（図３（ｂ）参照）。
【００３２】
図４は、図３に示す携帯電話を本発明の配線手段を用いて配線した様子を示す説明図である。スライドタイプの携帯電話３０の第一の筐体３１に形成された第一の回路４１と、第二の筐体３２に形成された第二の回路４２は、それぞれのコネクタの形成位置が、携帯電話３０の幅方向Ｗにおいてズレた位置、即ち一直線上に並ばない位置に形成されている。
【００３３】
そして、これら第一の回路４１と第二の回路４２との間を配線する配線手段として、図１に示すような電子機器配線用ハーネス（配線手段）１０が用いられる。電子機器配線用ハーネス１０は、熱収縮チューブ１３に極細同軸ケーブル（電線）１１，１１…が結束された部分を携帯電話３０の移動面３０ａに沿ってＵ字型に屈曲させる。こうした構成にする事で、携帯電話３０の第一の筐体３１と第二の筐体３２とを反復スライド操作させても、熱収縮チューブ１３に形成されたスリット１４によって、熱収縮チューブ１３に加わる屈曲応力が分散され、特定の箇所に応力が集中することがない。このため、熱収縮チューブ１３やこの熱収縮チューブ１３によって結束された極細同軸ケーブル１１，１１…が損傷したり破断することを確実に防止でき、長期間に渡って第一の回路４１と第二の回路４２との良好な導通を維持することが可能になる。
【実施例】
【００３４】
本発明の効果を検証した実施例を以下に示す。図１に示すような、スリット形成した熱収縮チューブによって多数の極細同軸ケーブルを結束した備えた電子機器配線用ハーネスを本発明例とした。また、こうしたスリットを設けない熱収縮チューブによって極細同軸ケーブルを結束した電子機器配線用ハーネスを従来の比較例とした。
【００３５】
本発明例と比較例の仕様は以下の通りである。
１．極細同軸ケーブル
ａ．型番：ＡＷＧ４６
ｂ．外径：０．０２６ｍｍ、４０芯
２：熱収縮チューブ（結束手段）
ポリオレフィン樹脂、加熱収縮率２：１
全長：５０ｍｍ
スリットの幅×長さ（本発明例のみ）  ０．１ｍｍ×１．５ｍｍ
スリットの形成間隔、形成個数：  １．０ｍｍ，４９個
【００３６】
以上の構成の本発明例と比較例の電子機器配線用ハーネスを用いて、コネクタ間を導通状態に保ったまま、９０゜屈曲および１８０°捻回を１サイクルとして１０万サイクルの屈曲、捻回試験を行った。
【００３７】
試験の結果、熱収縮チューブにスリットを設けない従来の電子機器配線用ハーネスでは、約５万サイクルを超過した時点で熱収縮チューブが破断した。一方、熱収縮チューブにスリットを形成した本発明例の電子機器配線用ハーネスでは、約１０万サイクルを超えても熱収縮チューブは損傷、破断することなく、またコネクタ間を導通状態にも変化は見られなかった。本発明の電子機器配線用ハーネスの顕著な耐屈曲性効果が確認された。
【図面の簡単な説明】
【００３８】
【図１】本発明の電子機器配線用ハーネスの一例を示す斜視図、断面図である。
【図２】本発明の電子機器配線用ハーネスの別な一例を示す斜視図である。
【図３】本発明の電子機器（携帯電話）の一例を示す外観斜視図である。
【図４】本発明の電子機器（携帯電話）の配線状態を示す説明図である。
【符号の説明】
【００３９】
１０  電子機器配線用ハーネス、１１  極細同軸ケーブル（電線）、１２  コネクタ、１３  熱収縮チューブ、１４  スリット。
【図１】
2009272126.tif 000003
【図２】
2009272126.tif 000004
【図３】
2009272126.tif 000005
【図４】
2009272126.tif 000006